(57)【特許請求の範囲】
【請求項１】
室外ユニットに少なくとも酸素富化膜を有し、前記室外ユニットから室内ユニットにガス送出配管を用いて酸素富化空気を搬送して放出するように構成された酸素富化機能を有する分離型空気調和機であって、前記室外ユニットは一側面に内外接続管の高圧ガス管と低圧ガス管とを接続する接続部をそれぞれ有するとともに、前記ガス送出配管を前記室外ユニット側に接続する樹脂製のジョイント部は、内外接続管の前記２つの接続部の間に隣接して設けられたことを特徴とする酸素富化機能付き空気調和機。
【請求項２】
前記ジョイント部は前記室外ユニットの側面からの高さが隣接する前記２つの接続部よりも低くなるように構成したことを特徴とする請求項１記載の酸素富化機能付き空気調和機。
【発明の詳細な説明】
【０００１】
【発明の属する技術分野】
本発明は、酸素富化機能を有する分離型空気調和機に関するものである。
【０００２】
【従来の技術】
従来この種の空気調和機としては、例えば酸素富化機能付き空気調和機にであって、室外ユニットに熱交換器、送風ファン、及び酸素富化膜等を具備した酸素富化ユニットを備え、酸素富化ユニットは室外ユニットの上面部に載置されており、高さ方向には大きくなるものの、設置平面方向での設置スペースを増加させることのない構成とした発明が開示されている。
【０００３】
室外ユニット側から室内ユニットに酸素富化ガスを搬送するためにガス送出配管が用いられているが、同発明ではこの送出配管は室外ユニット上面部に配置した酸素富化ユニットから直接室外ユニット筐体外に取り出されて室内ユニット側に引きまわされる事例が開示されている。（特許文献１参照）。
【０００４】
【特許文献１】
特開平５−９９４５７号公報  （図１等）
【０００５】
【発明が解決しようとする課題】
しかしながら、前記従来の構成は、室外ユニット側面において内外接続管の接続部は側面下方に配置されている一方、酸素富化ユニットが室外ユニット筐体上方に配置されていてこの部位からガス送出配管を引きまわすように構成されている。さて、一般に室内ユニットと室外ユニットとを接続する内外接続管は異径の２本の配管で構成されており、これら２本が一体として引き回されて室内ユニットと室外ユニットとを連結する。更には室内ユニットと室外ユニットとを電力供給や通信の用で電気的に接続する電線（図示せず）もこの内外接続管とともに引き回されて、室内ユニットから室外ユニット近傍まではこれらが一体にテーピングされている。従って、上記従来の発明にかかる空気調和機では、冷媒の通る内外接続管と酸素富化ガスの通るガス送出配管の室外ユニットとの接続位置がはなれており、内外接続管とガス送出配管の引き回しにおいて途中で分岐させるか、一旦室外ユニットの内外接続管近傍まで一体に引きまわして、そのあと再度上方に引きまわす必要が生じる。なお、分岐した部分は別途テーピングなどを施さないと美観上、または耐候性上課題が生じる可能性がある。なお、このような作業には手間がかかり工事性において課題となる。
【０００６】
本発明は、上記従来の課題を解決し、ガス送出配管の室外ユニットとの接続を容易にして施工性を向上させるとともに、美観を含めた構成も良化する酸素富化機能付き空気調和機の提供を目的とする。
【０００７】
【課題を解決するための手段】
前記従来の課題を解決するために、本発明の酸素富化機能付き空気調和機は、室外ユニットの外箱側面の、内外接続管の接続部を覆うカバーの内部に、富化ガスを搬送するガス送出配管を前記室内ユニットに接続するジョイント部を設けることを特徴とするものである。
【０００８】
【発明の実施の形態】
請求項１に記載の発明は、室外ユニットに少なくとも酸素富化膜を有し、室外ユニットから室内ユニットにガス送出配管を用いて酸素富化空気を搬送して放出するように構成された酸素富化機能を有する分離型空気調和機であって、前記室外ユニットは一側面に内外接続管の高圧ガス管と低圧ガス管とを接続する接続部をそれぞれ有するとともに、前記ガス送出配管を前記室外ユニット側に接続する樹脂製のジョイント部は、内外接続管の前記２つの接続部の間に隣接して設けられたことを特徴とする。
【００１０】
これにより、室外ユニットの側面カバー内部に配置されずとも、外部からの衝撃が加わりにくく、損傷する可能性が低くなり好適となる。
【００１４】
【実施例】
（実施例１）
以下、本発明の実施例について、図１および図２を参照にしながら説明する。
【００１５】
最初に図１および図２を用いて本発明による酸素富化機能を有する分離型空気調和機の構成について説明する。
【００１６】
同図において、分離型空気調和機は室外ユニット１と室内ユニット２で構成され、冷媒ガスが循環するように内外接続管１０により室外ユニット側は接続部となる二方弁７ａと三方弁７ｂで、室内ユニット側は連結部１８ｂで接続されている。室外ユニット１は、圧縮機１１、熱交換器１２、及びファン１３を有するとともに、一室を隔してガス富化膜ユニット３１、減圧ポンプ３２等を備えたガス富化装置の主な構成部材が設けられている。また、カバー５は内外接続管１０の接続部である二方弁７ａと三方弁７ｂを覆うように配置構成されている。室内ユニット２は、ファン２１や熱交換器２２を有するとともに、ガス富化装置の吹出口３３が設けられている。
【００１７】
一方、ガス富化装置は、酸素富化膜を備えたガス富化膜ユニット３１と、ガス富化膜ユニット３１の二次側を減圧する減圧ポンプ３２とを有しており、室外ユニットは室外補助チューブ８を経由してガス送出配管４０を接続するジョイント部４を有している。ガス送出配管４０は、室内ユニットのリードチューブ１６と、連結部１８ａにおいて接続され室外ユニットで酸素富化された空気が室内ユニットの吹出口３３から放出されるように構成されている。
【００１８】
また、カバー５は、室外ユニット１の一側面に内外接続管１０の接続部を有するとともに少なくともこの接続部を覆うように構成され、ガス送出配管４０を室外ユニット１側に接続するジョイント部４をカバー５で覆われる部位に設けている。
【００１９】
更には室内ユニット２と室外ユニット１とを電力供給や通信の用で電気的に接続する電線（図示せず）も、ガス送出配管のジョイント部と内外接続管１０の接続部とともにカバー５で覆われている構成としている。
【００２０】
次に、図１および図２を用いて、室外ユニットから室内ユニットにガス送出配管を用いて酸素富化空気を搬送して放出できる構成を説明する。
【００２１】
ガス送出配管４０の接続方向が内外接続管１０の接続部と差し込み方向を略同方向にして、ガス送出配管４０と室内ユニット２側で連結して酸素富化ガスを室内側に導くリードチューブ１６を有し、このリードチューブ１６は内外接続管１０を室内ユニット２側で連結して冷媒を室内側に導くリードパイプ１５と略同等の長さとすると、ガス送出配管の連結部と内外接続管の連結部が略同位置となり容易に連結作業をすることができる。
【００２２】
また、ガス送出配管４０をジョイントするジョイント部４は、室外ユニット１の一側面からの突起高さが二方弁７aの接続部または三方弁７bの接続部の高さよりも低い高さになるような形状とし、内外接続管１０の高圧ガス管と低圧ガス管の接続部の間に隣接する。
【００２３】
なお、ジョイント部４は、これにさし込むガス送出配管４０の接続方向が、内外接続管１０の接続部と差し込み方向を略同方向させると、ガス送出配管４０は、カバーの引き出し口５aに支障なく通すことができる。
【００２５】
【発明の効果】
以上のように、請求項１〜４に記載の発明によれば、室外ユニットから室内ユニットに酸素富化空気を搬送するガス送出配管を簡単にジョイントすることが可能であり、ガス送出配管は、内外接続管に沿っていて室外ユニットのジョイント部から室内ユニットに至るまで略同等の長さであるため、施工性向上が実現できるとともに、美観性を高めることができる。
【図面の簡単な説明】
【図１】本発明の一実施例による酸素富化機能付き空気調和機の構成図
【図２】本発明の一実施例による室外機側面の斜視図
【符号の説明】
１  室外ユニット
２  室内ユニット
４  ジョイント部
５  側面カバー
５a  引き出し口
７a  二方弁
７b  三方弁
８  室外補助チューブ
１０  内外接続管
１５  リードパイプ
１６  リードチューブ
１８a  連結部
１８b  連結部
２１  室内ファン
２２  室内熱交換器
３１  酸素富化膜
３２  減圧ポンプ
３３  吹出口
４０  ガス送出配管
【要約】【課題】施工性および美観に優れた酸素富化機能を有する分離型空気調和機を提供する。
【選択手段】カバー５は、室外ユニット１の一側面に内外接続管１０の接続部を有するとともに少なくともこの接続部を覆うように構成され、ガス送出配管４０を室外ユニット１側に接続するジョイント部４をカバー５で覆われる部位に設けて、  更には室内ユニット２と室外ユニット１とを電力供給や通信の用で電気的に接続する電線（図示せず）も、ガス送出配管のジョイント部と内外接続管１０の接続部とともにカバー５で覆われている構成としている。
【選択図】  図１【図１】
0003543811.tif 000002
【図２】
0003543811.tif 000003